(57)【特許請求の範囲】
【請求項１】
塗布容器本体とともに液体化粧料塗布容器をなすキャップの内部において、その根元部を嵌合させる固持軸の先端において軸部と塗布部とから構成されるものであって、
該軸部は、一端に複数の櫛歯を並設してなる櫛部とともに面部を形成するものとし、
該塗布部は、軸部一端の櫛部及び面部に対して櫛部をなす櫛歯間にスプリングの巻部を挟持させながらスプリングを装着して形成する
ことを特徴とする液体化粧料塗布体。
【発明の詳細な説明】
【技術分野】
【０００１】
本願発明は、マスカラ等の液体化粧料を内部に収容する塗布容器本体とともに液体化粧料塗布容器を構成するキャップ内に保持される液体化粧料塗布体に関する。
【背景技術】
【０００２】
塗布容器本体とともに液体化粧料塗布容器を構成するキャップ内に保持される液体化粧料塗布体には、例えば繊維を挟持した針金を螺旋状に捻回することで形成する芯部と、該芯部の全周に渡り挟持された繊維により形成される円筒状のブラシである塗布部とから構成されるものがある。
【０００３】
そして、上記液体化粧料塗布体を構成する塗布部をなすブラシは、細く且つ重なり合う睫毛の間に容易に入り込み、睫毛を梳かしながらマスカラ等の液体化粧料を確実に塗布することができるように、塗布部をなすブラシの繊維を細く径外方向へ放射状に配置してなるものである。
ところが、塗布部をなすブラシの繊維は細く、しかも睫毛の間に入り込んだ繊維が睫毛に対してマスカラ等の液体化粧料を確実に塗布できるように柔軟なものである。さらに、塗布部をなすブラシの繊維は長くすることで、該繊維の先端は柔軟なものとなる。
そのため、マスカラ等の液体化粧料を塗布しながら、塗布部により睫毛を持ち上げてカールを与えようとしても、塗布部をなすブラシの繊維が柔軟であるため変形し易く十分にカールさせることができなくなる。
その反面、繊維自体は柔軟であっても高密度のブラシとなると、繊維全体での柔軟性が失われて変形しづらくなり睫毛の間に入りにくくなる。
さらに、マスカラ等の液体化粧料を睫毛に対して薄く又は厚く塗布するためには、ブラシによる塗布回数により調整しなければならず、非常に煩雑である。
【０００４】
そこで、上記ブラシである塗布部の欠点を防止するために、該塗布部を、マスカラ塗布具の化粧筆軸先端部にスプリングを捲回装着せしめてなるもの、又は複数の櫛歯を並設して形成する櫛部としてなるものが提案されている。
【０００５】
ところで、マスカラ塗布具の化粧筆軸先端部にスプリングを捲回装着せしめてなるものの場合、スプリングのピッチ間を適宜調整することで、該ピッチ間に貯留するマスカラの量は増減することができるので、睫毛に対してマスカラを薄く又は厚く塗布することは容易に行えるものである。しかも、化粧筆軸先端部は硬くしかも曲面であるので睫毛に対してカールを与えることは容易である。しかしながら、睫毛に対して薄く塗布するためにピッチ間を狭くするとスプリングの直径は小さく、即ち化粧筆軸先端部における径方向への突出高は低くなるため、細く重なり合う睫毛の間に入り込みにくくなって十分に梳かすことができないおそれがある。
また、複数の櫛歯を並設して形成する櫛部としてなるものの場合、塗布部である櫛部を形成する櫛歯は薄いので、細く重なり合う睫毛の間に容易に入り込み、睫毛を梳かしながらマスカラ等の液体化粧料を塗布することができるものである。しかも、睫毛の間に入り込んだ楠歯に睫毛が挟持されるので睫毛に対してカールを与えることは容易である。しかしながら、睫毛に対してマスカラ等の液体化粧料を薄く又は厚く塗布しようとするためには、櫛部を形成する櫛歯間を変えなければならず、多種類の櫛部が必要となってしまう。
【先行技術文献】
【特許文献】
【０００６】
【特許文献１】実開昭５６−１７００４号公報
【発明の概要】
【発明が解決しようとする課題】
【０００７】
解決しようとする問題点は、一つの液体化粧料塗布体において、睫毛を梳かしながらマスカラ等の液体化粧料を睫毛に対して薄く又は厚く塗布することができない点である。
【課題を解決するための手段】
【０００８】
本願発明は、塗布部を、軸部他方の櫛部と面部に対してスプリングを装着して形成することを最も主要な特徴とする。
【０００９】
第１の特徴として、塗布容器本体とともに液体化粧料塗布容器をなすキャップの内部において、その根元部を嵌合させる固持軸の先端において軸部と塗布部とから構成されるものであって、
該軸部は、一端に複数の櫛歯を並設してなる櫛部とともに面部を形成するものとし、
該塗布部は、軸部一端の櫛部及び面部に対して櫛部をなす櫛歯間にスプリングの巻部を挟持させながらスプリングを装着して形成するものである。
【００１０】
そのため、塗布部における櫛部では複数の櫛歯が並設して形成されているので、細く重なり合う睫毛の間に櫛歯は容易に入り込み、睫毛を梳かすことができる。その結果、睫毛に対してマスカラ等の液体化粧料を薄く塗布することができる。
【００１１】
そして、塗布部における面部ではスプリングの装着によって軸部の面部とスプリングとにより空間が形成される。その結果、該空間内には多量のマスカラ等の液体化粧料が貯留されるので、睫毛を梳かしながら、睫毛にマスカラ等の液体化粧料を厚く塗布することができる。
ここで、前記スプリングは櫛部をなす櫛歯間にスプリングの巻部を挟持させながら装着されているので、反復してシゴキによって塗布部を扱いてもスプリングの軸部長軸方向へのずれを防ぐことができる。従って、スプリングのピッチ間は変化しないので、常にマスカラ等の液体化粧料を一定の厚さで塗布することができる。
また、塗布部における面部は、平面状ばかりでなく、凹又は凸曲面状としても良いものである（図６参照）。
【００１２】
なお、塗布部において装着されるスプリングは、睫毛に対してマスカラ等の液体化粧料を局部的に厚く塗布することができるように、櫛部に対してスプリングの巻部を櫛歯間に挟持させながら装着するスプリングの全長を短いものとしても良いものである。
【００１３】
さらに、該液体化粧料塗布体は固持軸と別体としても良いが、製造コストの低減化を図るために固持軸の先端において一体に形成するものであっても良いものである。
【発明の効果】
【００１４】
本願発明の液体化粧料塗布体は、櫛部と面部とからなる軸部一端において、櫛部を形成する櫛歯間にスプリングの巻部を挟持させながらスプリングを装着するので、軸部の櫛部では細く重なり合った睫毛間に容易に入り込み、睫毛を梳かしながらマスカラ等の液体化粧料を薄く塗布できるとともに、面部ではスプリングとにより形成される空間において貯留する多量のマスカラ等の液体化粧料を厚く塗布できるため、一本の液体化粧料塗布体により多様な状態の睫毛に対して簡易且つ確実にその厚さを自在に塗布することができるという優れた効果を有する。
【図面の簡単な説明】
【００１５】
【図１】図１は本願発明の実施例である液体化粧料塗布体を具える液体化粧料塗布容器の分解正面図である。
【図２】図２は本願発明の実施例である液体化粧料塗布体の部分断面図である。
【図３】図３（イ）は本願発明の実施例である液体化粧料塗布体の左側面図、同図（ロ）はＡ−Ａ断面図、同図（ハ）はＢ−Ｂ断面図である。
【図４】図４は本願発明の実施例である液体化粧料塗布体の分解正面図である。
【図５】図５（イ）は本願発明の実施例である液体化粧料塗布体を構成する軸部の左側面図、同図（ロ）はＡ’−Ａ’断面図、同図（ハ）はＢ’−Ｂ’断面図である。
【図６】図６（イ）及び（ロ）は、本願発明の実施例である液体化粧料塗布体の変形例における要部拡大断面図である。
【発明を実施するための形態】
【００１６】
一本の液体化粧料塗布体において、睫毛を梳かしながら、マスカラ等の液体化粧料を薄く又は厚く塗布することができるようにするという目的を、軸部一端に形成する櫛部と面部に対するスプリングの装着により実現した。
【実施例】
【００１７】
図１において示すものは、本願発明の実施例である液体化粧料塗布体１１を具える液体化粧料塗布容器１である。該液体化粧料塗布容器１は、内部にマスカラ６を収容する塗布容器本体２と、該塗布容器本体２に対して一体に螺合、固定されるキャップ７とからなるものである。
【００１８】
そこで、塗布容器本体２は、外側面に雄ネジ部４を螺設する開口部３を有するとともに、後述する固持軸１０及び液体化粧料塗布体１１の表面に付着した過剰なマスカラ６を掻き落とすためのシゴキ５を内装するものである。
【００１９】
また、キャップ７は、塗布容器本体２の開口部３の雄ネジ部４と螺合する雌ネジ部９を内周面に螺設する開口部８を有するとともに、マスカラ６を塗布するために使用する本願発明の実施例である別体の液体化粧料塗布体１１を根元部１０ａをキャップ７内に嵌合させる固持軸１０を介して固持するものである。
【００２０】
そして、前記液体化粧料塗布体１１は、該固持軸１０の先端に固持される軸部１２と塗布部１３とから構成される。
ここで、該軸部１２は、一端に複数の櫛歯１４ａを並設してなる櫛部１４とともに該櫛部１４の背面に平面状の面部１５を形成するとともに、他端では前記固持軸１０の固持孔１０ｂ内に挿嵌固時させる固持部１２ａを形成するものである。
さらに、該塗布部１３は、軸部１２一端の櫛部１４及び面部１５に対して櫛部１４をなす各櫛歯１４ａ間にスプリング１６の各々巻部１６ａを挟持させながらスプリング１６を装着して形成するものである。
【００２１】
従って、本願発明の実施例である液体化粧料塗布体１１の塗布部１３は、櫛歯１４ａ間にスプリング１６の各々巻部１６ａを挟持させてなる櫛部１４と、該櫛部１４の背面において軸部１２の面部１５ではスプリング１６の各々の巻部１６ａとにより空間１７を形成しているものである。
なお、該面部１５を図６（イ）に示すように凸曲面とすると、睫毛は該凸曲面の面部１５に沿ってマスカラ６が塗布されるので容易にカールも与えることができる。また、図６（ロ）に示すように凹曲面とすると、スプリング１６の各々の巻部１６ａとにより形成する空間１７の容積が大きくなり、より多量のマスカラ６を貯留できるようになるので、睫毛に対してより厚くマスカラ６を塗布することができるものである。
【００２２】
本願発明の実施例である液体化粧料塗布体１１は以上の構成を具えるので、睫毛にマスカラ６を塗布するにあたり、まず睫毛に薄く塗布しようとする場合には、液体化粧料塗布体１１の塗布部１３における櫛部１４を使用するものである。即ち、該櫛部１４は複数の櫛歯１４ａを並設して形成されているので、該櫛歯１４ａは細く重なり合う睫毛間に容易に入り込み、睫毛を梳かすことができる。その結果、前記櫛歯１４ａにより梳かされた睫毛に対してマスカラ６を薄く塗布することができる。
【００２３】
一方、例えば睫毛に対してマスカラ６を厚く塗布しようとする場合には、塗布部１３の平面状の面部１５を使用するものである。即ち、スプリング１６を装着することによって該面部１５では、該面部１５とスプリング１６の巻部１６ａとにより空間１７を形成するものである。その結果、睫毛をスプリング１６と軸部１２との間で挟むことなく睫毛を梳かすことができる。その上、該空間１７内には多量のマスカラ６を貯留しているため、睫毛を梳かしながら、睫毛にマスカラ６を厚く塗布することができるものとなる。その際、該面部１５を回転させることにより睫毛に対してカールを与えることもできる。
【００２４】
また、睫毛の一部のみ厚くマスカラ６を塗布しようとする場合には、塗布部１３の一部に塗布容器本体２内に収容するマスカラ６を付着させた上で、マスカラ６が付着したスプリング１６の巻部１６ａが配置される面部１５を使用するものである。その結果、睫毛に一部に対してマスカラ６を厚く塗布することができるものである。
【産業上の利用可能性】
【００２５】
本願発明は、塗布部における櫛部では細く重なり合った睫毛を梳かしながらマスカラを薄く塗布することができるとともに、面部ではマスカラを厚く塗布することができるので、確実な塗布を行うとともに、その塗布量の調節することが必要となる毛染剤等の容器にも適用できる。
【符号の説明】
【００２６】
１    液体化粧料塗布容器
２    塗布容器本体
３    開口部
４    雄ネジ部
５    シゴキ
６    マスカラ
７    キャップ
８    開口部
９    雌ネジ部
１０    固持軸
１０ａ    根元部
１０ｂ    固持孔
１１    液体化粧料塗布体
１２    軸部
１２ａ    固持部
１３    塗布部
１４    櫛部
１４ａ    櫛歯
１５    面部
１６    スプリング
１６ａ    巻部
１７    空間
【図１】
0005397765.tif 000002
【図２】
0005397765.tif 000003
【図３】
0005397765.tif 000004
【図４】
0005397765.tif 000005
【図５】
0005397765.tif 000006
【図６】
0005397765.tif 000007